(57)【要約】      （修正有）【課題】特に従来の調節式印章において印面キャップを開ける時に、指にインクが付いてしまうといった欠点を解決できる回転式印面キャップセットを提供する。【解決手段】調節式印章の印体セットに取り付けられる回転式印面キャップセットであって、一側に前記印体セットにおける基台４０に枢設される枢軸を有する枢設部が設けられると共に、他側に突起及び係合部５０５が設けられ、更に貫通溝が形成される印面固定部５０１を有する印面キャップ５０と、前記枢軸に取り付けられ、前記印面キャップと基台に夫々当接される２つの当接部を有するトーションばね５１と、一端に前記印面キャップの係合部に係合可能な係合爪５３１を有すると共に、他端に、押圧することにより該係合爪を係合部から離間させることができる押圧部を有する係合プレート５３と、前記基台に取り付けられると共に、該係合プレートに連結される弾性プレート５４を有する係合部材５２とを備えることを特徴とする。【選択図】図１
0003162104.tif 000002
【実用新案登録請求の範囲】
【請求項１】
調節式印章の印体セットに取り付けられる回転式印面キャップセットであって、
一側に前記印体セットにおける基台に枢設される枢軸を有する枢設部が設けられると共に、他側に突起及び係合部が設けられ、更に貫通溝が形成される印面固定部を有する印面キャップと、
前記枢軸に取り付けられ、前記印面キャップと基台に夫々当接される２つの当接部を有するトーションばねと、
一端に前記印面キャップの係合部に係合可能な係合爪を有すると共に、他端に、押圧することにより該係合爪を係合部から離間させることができる押圧部を有する係合プレートと、前記基台に取り付けられると共に、該係合プレートに連結される弾性プレートを有する係合部材と、を備えることを特徴とする調節式印章に用いる回転式印面キャップセット。
【請求項２】
前記係合プレートの中央部分に、前記基台の側面に当接される当接部が設けられ、前記弾性プレートはU字形を呈し、その一端が基台に係着されると共に、他端が、係合プレートにおける当接部より高い位置にくるように係合プレートの中央部分に挿設されることを特徴とする請求項１に記載の調節式印章に用いる回転式印面キャップセット。
【請求項３】
前記係合プレートに、当接部に隣接する固定溝が形成されると共に、該固定溝に前記弾性プレートの他端が挿着されることを特徴とする請求項２に記載の調節式印章に用いる回転式印面キャップセット。
【請求項４】
前記弾性プレートの一端に、前記基台に係止されるフックが形成されることを特徴とする請求項２または３に記載の調節式印章に用いる回転式印面キャップセット。
【考案の詳細な説明】
【技術分野】
【０００１】
本考案は、特に調節式印章における回転式印面キャップセットに関するものである。
【背景技術】
【０００２】
従来の調節式印章における印面部の調節を行う時は、先ず印面キャップを取り外して印面部を調節してから、印面キャップを付け直さなければならないので、指が印面キャップに触れてインクが染み付いてしまうといった欠点があった。
【０００３】
また、その後、前記の欠点を解決するために、回転式印面キャップが開発された。図４及び図５に示すように、前記回転式印面キャップを有する調節式印章は、インク部６２と印体セット６３が設けられる本体６０と、該本体６０の外側に設けられる押圧ケース６１と、印面キャップ６４とを備え、その内、該押圧ケース６１の内部に、該本体６０に当接されるばねが設けられ、該印体セット６３は、フック６３４が設けられると共に、両側に夫々、該本体６０の両側における案内溝及び押圧ケース６１の両側における摺動溝に挿設される駆動軸が設けられる基台６３１と、夫々複数の印面部６３５を有する、該基台６３１に設けられる複数の印字ホイール６３２とを有し、該印面キャップ６４は、印面パッドを粘着するための印面固定部を有すると共に、一側が該基台６３１に枢設され、他側に、基台６３１におけるフック６３４に係合することにより印面キャップ６４を閉止状態に維持させる係合部６４１が設けられるものであり、この構成によれば、印面部６３５の調節を行う時、印面キャップ６４の周縁における突起６４２を持ち上げて係合部６４１をフック６３４から離脱させ、更に印面キャップ６４を開放位置まで回転させれば、印面部６３５を調節することができる。
【考案の概要】
【考案が解決しようとする課題】
【０００４】
しかしながら、前記印面キャップ６４の開閉操作を行う時は、依然として使用者の指が印面キャップ６４の印面パッドに触れやすいので、回転式印面キャップを有する調節式印章においても同様に、インクが指に付いてしまうといった欠点があった。
【０００５】
そこで、案出されたのが本考案であって、従来の調節式印章における印面キャップを開ける時、指にインクが付いてしまう欠点を解決できる回転式印面キャップセットを提供することを目的としている。
【課題を解決するための手段】
【０００６】
本考案は、上記の目的を達成するために、調節式印章における印体セットに取り付けられる回転式印面キャップセットであって、一側に前記印体セットにおける基台に枢設される枢軸を有する枢設部が設けられると共に、他側に突起及び係合部が設けられ、更に貫通溝が形成される印面固定部を有する印面キャップと、該枢軸に取り付けられ、該印面キャップと基台に夫々当接される２つの当接部を有するトーションばねと、一端に前記印面キャップの係合部に係合可能な係合爪を有すると共に、他端に、押圧することにより該係合爪を係合部から離間させることができる押圧部を有する係合プレートと、該基台に取り付けられると共に、該係合プレートに連結される弾性プレートを有する係合部材と、を備えることを特徴とする調節式印章に用いる回転式印面キャップセットを提供するものである。
【０００７】
また、前記係合プレートは、中央部分に、前記基台の側面に当接される当接部が設けられる構成であることが好ましく、前記弾性プレートはU字形を呈し、その一端が基台に係着されると共に、他端が、係合プレートにおける当接部より高い位置にくるように係合プレートの中央部分に挿設される構成であることが好ましい。
【０００８】
また、前記弾性プレートの他端を係合プレートの中央部分に挿設する手段としては、例えば、係合プレートに、当接部に隣接する固定溝を形成すると共に、該固定溝に弾性プレートの他端を挿着することにより達成できる。
【０００９】
また、前記弾性プレートの一端を基台に係着する手段としては、例えば、弾性プレートの一端に、基台に係止可能なフックを形成することにより達成できる。
【考案の効果】
【００１０】
本考案は上記の課題を解決するものであり、係合プレートの押圧部を押圧して係合爪を印面キャップの係合部から離脱させれば、印面キャップがトーションばねの弾力により自動的に開放位置まで回転するので、印面部の調節を行うことができる。また、調節を終えた後は、印面キャップの周縁における突起を持ち印面キャップを下げて係合部を係合爪に係合させれば、印面キャップを閉じることができるので、本考案の構成によれば、印面キャップの開閉操作を行う時に指にインクが付くことはない。
【図面の簡単な説明】
【００１１】
【図１】本考案に係る調節式印章に用いる回転式印面キャップを開けた状態を示す斜視図である。
【図２】本考案に係る調節式印章に用いる回転式印面キャップを閉じた状態を示す斜視図である。
【図３】本考案に係る調節式印章に用いる回転式印面キャップを閉じた状態を示す部分断面図である。
【図４】従来の調節式印章に用いる回転式印面キャップを開けた状態を示す斜視図である。
【図５】従来の調節式印章に用いる回転式印面キャップを閉じた状態を示す斜視図である。
【考案を実施するための形態】
【００１２】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１３】
図１及び図２に示すように、本考案に係る回転式印面キャップセットは、調節式印章に使用されるものであり、該調節式印章は主に、インク部３と印体セット４が設けられる本体１と、該本体１の外側に設けられる押圧ケース２とを備え、その内、該押圧ケース２の内部に、本体１に当接されるばね（図示せず）が設けられ、該印体セット４は、両側に夫々、本体１の両側における案内溝１０及び押圧ケース２の両側における摺動溝２０に挿設される駆動軸４３が設けられる基台４０と、夫々複数の印面部４２が設けられる印字ベルトを具備する、該基台４０に設けられる複数の印字ホイール４１とを有するものであり、この構成において印体セット４は、押圧ケース２に連動してインク部３に接触してインクを付着したり、紙面に押印したりする。
【００１４】
図１ないし図３に示すように、本考案に係る回転式印面キャップセットは、前記調節式印章の印体セット４における基台４０に設置され、印面キャップ５０と、トーションばね５０と、係合部材５２とを備えるものである。
【００１５】
前記印面キャップ５０は、一側に枢軸５０３を有する枢設部が設けられると共に、他側に突起５０４及び係合部５０５が設けられ、更に貫通溝５０２が形成される印面固定部５０１を有するものであり、その内、該枢軸５０３は、基台４０の一側に枢設され、該貫通溝５０２に印体セット４における印面部４２が挿設される。
【００１６】
前記トーションばね５１は、前記枢軸５０３に環設され、前記印面キャップ５０と基台４０に夫々当接される２つの当接部５１１、５１２を有し、印面キャップ５０を開放位置まで回転させる弾力を提供する。
【００１７】
前記係合部材５２は、係合プレート５３と弾性プレート５４とを有し、その内、該係合プレート５３は、一端に前記印面キャップ５０における係合部５０５に係合可能な係合爪５３１を有すると共に、他端に、押圧することにより該係合爪５３１を係合部５０５から離間させることができる押圧部５３２を有し、一方、該弾性プレート５４は、一端が基台４０に取り付けられると共に、他端が該係合プレート５３に連結される。また、図２及び図３に示す実施例においては、係合プレート５３の中央部分に、基台４０の側面に当接される当接部５３３が設けられると共に、該当接部５３３に隣接する固定溝５３４が設けられ、前記弾性プレート５４はU字形を呈し、一端に、基台４０における凹部に係着されるフック５４１が設けられると共に、他端が、係合プレート５３における当接部５３３より高い位置にくるように固定溝５３４に挿設される。この構成によれば、弾性プレート５４を基台４０に固着することができると共に、係合プレート５３の押圧部５３２を押圧すれば、係合爪５３１を係合部５０５から離間させることができる。
【００１８】
また、前記印面キャップ５０の印面固定部５０１には、図柄が形成される印面パッド（図示せず）が粘着され、印面キャップ５０を閉じた状態においては、該印面パッドの印面は、印体セット４における印面部４２の印面と同一平面上に位置する。一方、本考案に係る印面キャップセットを有する調節式印章を用いて押印する時は、先ず印面パッド及び印面部４２の印面を下向きにして押圧ケース２を押し下げる。すると、押圧ケース２に連動して印体セット４が回転しながら下降し、印面パッド及び印面部４２が紙面に押し付けられて押印される。そして、押印後に押圧ケース２を持ち上げると、本体１がばねの弾力により下方へ摺動すると共に、本体１に連動して印体セット４が回転しながら上昇し、印面パッド及び印面部４２がインク部３に押し付けられて印面パッド及び印面部４２にインクが付着する。
【００１９】
また、前記印体セット４の印面部４２の調節を行う時は、先ず固定ボタン２１を押すことによって印体セット４を固定して印面キャップ５０を本体１から露出させ、次に係合プレート５３における押圧部５３２を押して係合爪５３１を印面キャップ５０から離脱させる。これにより、印面キャップ５０がトーションばね５１の弾力によって自動的に開放位置へ回転するので、印面部４２を調節することができる。そして、調節後は、突起５０４を持って印面キャップ５０を回転させ、係合爪５３１を係合部５０５に係合させれば、印面キャップ５０を閉じることができる。上述したように、本考案の回転式印面キャップセットを用いた調節式印章は、指が印面キャップ５０に粘着される印面パッドに触れずに印面キャップ５０の開閉操作を行うことができるので、指にインクが付く心配はない。
【符号の説明】
【００２０】
１        本体
１０      案内溝
２        押圧ケース
２０      摺動溝
２１      固定ボタン
３        インク部
４        印体セット
４０      基台
４１      印字ホイール
４２      印面部
４３      駆動軸
５０      印面キャップ
５０１    印面固定部
５０２    貫通溝
５０３    枢軸
５０４    突起
５０５    係合部
５１      トーションばね
５１１    当接部
５１２    当接部
５２      係合部材
５３      係合プレート
５３１    係合爪
５３２    押圧部
５３３    当接部
５３４    固定溝
５４      弾性プレート
５４１    フック
６０      本体
６１      押圧ケース
６２      インク部
６３      印体セット
６３１    基台
６３２    印字ホイール
６３３    駆動軸
６３４    フック
６４      印面キャップ
６４１    係合部
【図１】
0003162104.tif 000003
【図２】
0003162104.tif 000004
【図３】
0003162104.tif 000005
【図４】
0003162104.tif 000006
【図５】
0003162104.tif 000007